(57)【要約】【課題】介護者の負担を軽減できるおむつを提供する。【解決手段】おむつ本体１０１の股間領域に開口部４３が設けられており、吸収パッド５１がおむつ本体１０１から分離可能であることから、おむつ本体１０１を脱がせることなく、吸収パッド５１のみをおむつ本体１０１から分離して、開口部４３より外に取り出すことができる。従って、例えば排泄物で吸収パッド５１が汚れた場合、おむつ本体１０１から吸収パッド５１を分離して、開口部４３より股間を清浄し、汚れた吸収パッド５１を取り出して、新しい吸収パッド５１をおむつ本体１０１の内部に挿入できる。この場合、おむつ本体１０１を脱がせる必要がないので、介護者の負担を大幅に軽減できる。【選択図】  図１
2010017385.tif 000002
【特許請求の範囲】
【請求項１】
股間領域に開口部を有するおむつ本体と、
前記開口部を前記おむつ本体の内側から塞ぐ吸収性パッドと、
前記吸収性パッドと前記おむつ本体とを分離可能に固定する固定手段と
を備えるおむつ。
【請求項２】
前記固定手段は、
前記開口部において前記おむつ本体の外側に露出する前記吸収性パッドの外面領域に接着する第１接着面と、前記おむつ本体の外面に接着する第２接着面とを有した接着部材を含む、
請求項１に記載のおむつ。
【請求項３】
前記開口部において前記おむつ本体の外側に露出する前記吸収性パッドの外面領域に設けられた把持手段を有する、
請求項１に記載のおむつ。
【請求項４】
前記開口部の縁の少なくとも一部に設けられた接着部材と、
前記接着部材の接着面を覆う剥離シートと
を有する、
請求項１に記載のおむつ。
【請求項５】
前記開口部の縁の少なくとも一部に設けられた伸縮弾性部材を有する、
請求項１に記載のおむつ。
【請求項６】
前記伸縮弾性部材の周辺領域と前記おむつ本体とを着脱可能に接着する接着部材を有する、
請求項５に記載のおむつ。
【請求項７】
股間領域に開口部を有するおむつ本体と、
前記開口部を前記おむつ本体の内側から塞ぐ吸収性パッドと、
前記開口部を前記おむつ本体の外側から塞ぐ閉塞手段と
を備えるおむつ。
【請求項８】
前記開口部は、条状の切れ目を含んでおり、
前記閉塞手段は、前記おむつ本体の外面において、前記切れ目の近接した両縁の近傍領域にそれぞれ接着する接着部材を含む、
請求項７に記載のおむつ。
【発明の詳細な説明】
【技術分野】
【０００１】
本発明は、おむつ本体と吸収パッドとが分離可能なおむつに係り、特に、排泄物を自動的に処理するシステムでの利用に適したおむつに関するものである。
【背景技術】
【０００２】
寝たきりになった被介護者の排泄物を取り除いて股間を清浄にする作業は、介護者のみならず被介護者にも大きな負担を強いるため、これを簡易化することが要望されている。下記の特許文献１〜４では、被介護者が横たわった状態でも排泄物を自動的に処理できる装置が記載されている。
【０００３】
一般的な排泄物自動的処理システムでは、汚物タンクに接続された排泄部受容器（以下、「カップ」と記す場合がある）が被介護者の股間にあてがわれる。カップには便や尿を検知するためのセンサが設けられており、排泄が検知されるとポンプ等の動作によってカップから汚物タンクへ排泄物が吸引される。
【特許文献１】実用新案登録第３１３０４８３号公報
【特許文献２】実用新案登録第３１３７６２６号公報
【特許文献３】実用新案登録第３１３７６２７号公報
【特許文献４】実用新案登録第３１３７６２８号公報
【発明の開示】
【発明が解決しようとする課題】
【０００４】
ところで、上記のような装置は必ずしも終日の使用を要求されるものではなく、人手による介護との併用が望ましいケースもある。例えば、被介護者が排便を知らせることが可能な場合、介護者のいる日中はおむつを着用し、夜間はカップを装着するといった使い方が考えられる。しかしながら、現在広く流通している通常の使い捨ておむつは、上記のような排泄物の処理システムを想定して作られていないため、カップを装着する際には被介護者からおむつを脱がさなければならず、これが介護者の負担になる。
【０００５】
他方、パンツ型の使い捨ておむつは、少量の排泄物でもおむつ全体を取り換えなければならならないため、ランニングコストが高いという問題を有する。そこで一般には、パンツ型の使い捨ておむつの内側に吸収パッドを敷いておき、少量の排泄物であれば吸収パッドのみを交換しておむつを使用し続けるというようなことが行われている。ところが、吸収パッドを交換する場合、おむつを被介護者から脱がさなければならないため、この作業が介護者の負担となっている。
【０００６】
本発明はかかる事情に鑑みてなされたものであり、その目的は、介護者の負担を軽減できるおむつを提供することにある。
【課題を解決するための手段】
【０００７】
本発明に係るおむつは、股間領域に開口部を有するおむつ本体と、前記開口部を前記おむつ本体の内側から塞ぐ吸収パッドと、前記吸収パッドを前記おむつ本体に分離可能に固定する固定手段とを備える。
【０００８】
上記のおむつによれば、前記おむつ本体の股間領域に開口部が設けられており、また、前記吸収パッドが前記おむつ本体から分離可能であることから、前記おむつ本体をおむつ着用者から脱がせることなく、前記吸収パッドを前記おむつ本体から分離し、前記開口部より取り外すことが可能となる。
そして、前記吸収パッドを取り外した後、股間領域の前記開口部に排泄物受容器をあてがうことが可能である。
また、前記吸収パッドを取り外した後、前記開口部から新しい吸収パッドを前記おむつ本体の内側に挿入することも可能である。
更に、上記のおむつによれば、前記固定手段によって前記おむつ本体に前記吸収パッドが固定されるため、前記吸収パッドはおむつ着用者の股間領域からずれ難い。
また、前記吸収パッドが前記おむつ本体の内側から前記開口部を塞いでおり、排泄物によって前記開口部の縁が汚れることが少ないことから、前記おむつ本体の再利用が可能である。
【０００９】
好適に、前記固定手段は、前記開口部において前記おむつ本体の外側に露出する前記吸収パッドの外面領域に接着する第１接着面と、前記おむつ本体の外面に接着する第２接着面とを有した接着部材を含む。
上記の構成によれば、前記吸収パッドと前記おむつ本体との接着を外側から容易に分離できる。
【００１０】
また好適に、上記おむつは、前記開口部において前記おむつ本体の外側に露出する前記吸収パッドの外面領域に設けられた把持手段を有する。
前記把持手段により、前記吸収パッドを掴みやすくなり、前記開口部から前記吸収パッドを取り外しやすくなる。
【００１１】
また、上記おむつは、前記開口部の縁の少なくとも一部に設けられた接着部材と、前記接着部材の接着面を覆う剥離シートとを有してもよい。
これにより、前記吸収パッドを前記おむつ本体から取り外した後、前記剥離シートを前記接着部材の接着面から剥がして、当該接着面を排泄物受容器に接着させることが可能になる。前記開口部の縁を排泄物受容器に接着させることで、排泄物の漏れが抑えられる。
【００１２】
更に、上記おむつは、前記開口部の縁の少なくとも一部に設けられた伸縮弾性部材を有してもよい。
これにより、前記吸収パッドを前記おむつ本体から取り外した後、前記伸縮弾性部材を伸ばして前記開口部を広げ、当該開口部の内側に排泄物受容器を挿入することが可能に
なる。挿入後、前記伸縮弾性部材が縮んで排泄物受容器に密着することで、排泄物の漏れが抑えられる。
この場合、上記おむつは、前記伸縮弾性部材の周辺領域と前記おむつ本体とを着脱可能に接着する接着部材を有してもよい。前記伸縮弾性部材と前記おむつ本体とを着脱可能にすれば、前記おむつ本体を使い捨てとしても、前記伸縮弾性部材は再利用可能となる。
【００１３】
また、本発明の他の観点に係るおむつは、股間領域に開口部を有するおむつ本体と、前記開口部を前記おむつ本体の内側から塞ぐ吸収性パッドと、前記開口部を前記おむつ本体の外側から塞ぐ閉塞手段とを備える。
例えば、前記開口部は、条状の切れ目を含み、前記閉塞手段は、前記おむつ本体の外面において、前記切れ目の近接した両縁の近傍領域にそれぞれ接着する接着部材を含む。
【００１４】
なお、特に断らない限り、本明細書においておむつの「内側」とは、おむつ着用者の身体に接する側を意味し、おむつの「外側」とは、身体に接しない側を意味する。
【発明の効果】
【００１５】
本発明によれば、おむつ着用者からおむつ本体を脱がせることなく吸収パッドのみを取り外せるため、介護者の負担を軽減できる。
【発明を実施するための最良の形態】
【００１６】
＜第１の実施形態＞
図１は、本発明の第１の実施形態に係るおむつの例を図解した斜視図である。図２は外側からみたおむつの展開図を示し、図３は内側からみたおむつの展開図を示す。
第１の実施形態に係るおむつ１００は、例えば図１に示すように、股間領域に開口部４３を有するおむつ本体１０１と、その開口部４３をおむつ本体の内側から塞ぐ吸収パッド５１と、吸収パッド５１とおむつ本体１０１とを分離可能に固定する固定手段としての接着部材３１を有する。
【００１７】
おむつ本体１０１は、前見頃１０及び後見頃２０と、これらの間に設けられた股間領域３０を有する。前見頃１０と後見頃２０は、例えば図２，図３に示すように分離して形成されており、両端部を互いに重ねることで、胴を通すための開口部４１と、脚を通すための２つの開口部４２Ｌ，４２Ｒが形成される。図の例において、後見頃２０は前見頃１０に比べて胴回り方向に長くなっており、前見頃１０の外側に重ねられる。後見頃２０の両端部は、着用者の腹側において接着部材２１により接着される。接着部材２１には、例えば粘着テープや面ファスナなどが用いられる。
【００１８】
また、おむつ本体１０１は、例えば、その外側が親水化処理を施した不織布などの液透過性シートにより形成され、内側が透湿性のあるプラスチックフィルムなどの液不透過性シートにより形成される。そして、これらのシートの間には、液透過性シートを透過した尿などの液体を吸収するため、高吸収性ポリマーや綿状パルプ等よりなる吸収体５２が内包される。吸収体５２は、股間領域３０の開口部４３を囲んで、腹側と尻側の領域に広く敷かれている。
【００１９】
開口部４３は、例えば、後述する排泄物受容器２００を直接あてがうことができるように、おむつ着用者の肛門と排尿器官が露出する程度の大きさで、股間領域３０の前後方向に縦長に伸びて開いている。吸収パッド５１は、この開口部４３より広くなるように形成されており、おむつ本体１０１の内側から開口部４３の全体を塞ぐことができる。吸収パッド５１は、例えば矩形状に形成されており、おむつ着用者の肛門と排尿器官を包み込んで排泄物を吸収若しくは受容する。吸収パッド５１は、例えばおむつ本体と同様に、身体側（内側）の表面が液透過性シート、その反対側（外側）の面が透湿性のある液不透過性シートにより形成されており、両シートの間に吸収体が充填されている。
【００２０】
接着部材３１は、吸収パッド５１とおむつ本体１０１とを外側から分離できるような態様で接着する。例えば、接着部材３１は、開口部４３において外側に露出する吸収パッド５１の外面領域に接着する接着面（第１接着面）と、おむつ本体１０１の外面に接着する接着面（第２接着面）とを有している。接着面をおむつ本体１０１の外側に設けることで、吸収パッド５１の取り外しが容易になる。
【００２１】
接着部材３１は、例えば、粘着テープや面ファスナなどの着脱可能な部材を用いて構成可能である。この場合、第１接着面及び第２接着面の両方を着脱可能な部材で構成してもよいし、何れか一方を着脱可能にするとともに他方を着脱できない仕方で接着してもよい。
また、接着部材３１は、片方の端部にのみ接着面を形成し、他方の端部はおむつ本体１０１若しくは吸収パッド５１の外面シートと一体に形成してもよい。
【００２２】
図４は、排泄物自動的処理システムの構成の一例を示す図である。
図４に示す排泄物自動処理システムは、利用者の股間にあてて排泄物を受容する排泄物受容器２００と、排泄物受容器２００から排泄物を吸引して処理する排泄物処理装置３００と、排泄物受容器２００及び排泄物処理装置３００を接続するホースユニット４００とを有する。
【００２３】
排泄物処理装置３００は、排泄物受容器２００からの汚物の吸引やその洗浄を行う。すなわち、排泄物処理装置３００は、排泄物受容器２００に設けられたセンサにおいて排泄物が検出されると、吸引器を作動させて排泄物受容器２００から排泄物を吸引するとともに、内部に備える水槽から水と空気を送り出して排泄物受容器２００の内面を洗浄する。このとき、排泄物で汚れた肛間を洗浄するための温水も排泄物受容器２００へ送り出す。排泄部受容器２００から吸引された排泄物と汚水は、排泄物処理装置３００の内部の汚物タンクに貯蔵される。汚物の吸引と洗浄が終わると、排泄物処理装置３００は排泄物受容器２００に空気を送りだして湿気を取り除く。
【００２４】
ホースユニット４００は、例えば、汚物を吸引するためのホース、容器を洗浄するための水と空気を送りだすホース、股間を洗浄するための水を送りだすホース、センサからの信号を伝送する信号ケーブル、センサに電源を供給する給電ケーブルなどから構成されている。
【００２５】
排泄物受容器２００は、カップ部２１０と、弾性部材２２０と、板部２３０を有している。
【００２６】
カップ部２１０は、被介護者の股間にあてて排泄物を受容するための開口部を備える。開口部の縁は、被介護者の肛門と陰部をとり囲むように鞍状に湾曲している。この開口部の縁に沿って、弾性部材２２０が設けられている。
【００２７】
カップ部２１０は、被介護者の腹側で排泄物を受ける前カップ２１１及び尻側で排泄物を受ける後カップ２１３と、これらの間に介在する中間カップ２１２を備える。
前カップ２１１と後カップ２１３の開口部は、中間カップ２１２の開口部に比べて幅が広くなっており、先端が丸みを帯びている。後カップ２１３は被介護者の臀部によってベッドに押し付けられるため、臀部を安定に支えられるように、後カップ２１３の底面（開口部に対して反対側の面）は平らになっている。中間カップ２１２は、この底面に対してほぼ垂直に立っており、被介護者の股間に無理なく挟まる程度の横幅を有している。中間カップ２１２と前カップ２１１とをつなぐ部分には、例えば、上下方向へ自在に曲げることが可能なベローズ部が設けられている。ベローズ部を曲げることにより、被介護者の体型に合わせて前カップ２１１を動かすことができる。
【００２８】
弾性部材２２０は、カップ部２１０の開口部の縁に沿って帯状に設けられている。弾性部材２２０は、例えばシリコンゴムなどのエラストマを用いて一体成型されたゴム材であり、被介護者の股間が押しあてられると柔軟に変形する。
【００２９】
板部２３０は、後カップ２１３から被介護者の上半身の方向に延びた弾性のある板であり、カップ部２１０に跨った被介護者の臀部と腰を支えるように広がっている。
【００３０】
図５は、おむつ本体１０１を着用した状態で排泄物受容器２００を使用する例を図解した図である。図示の都合上、人体の図解は省略されている。
おむつ１００を着用した状態で排泄物受容器２００を使用する場合、吸収パッド５１はおむつ本体１０１から取り外される。被介護者の股間は、開口部４３より外側へ露出した状態にされる。この状態で、被介護者の股間にカップ部２１０があてがわれる。開口部４３は、おむつ本体１０１の外側からカップ部２１０によって包囲される。これにより、被介護者の便や尿は、開口部４３を通ってカップ部２１０に直接排泄される。
【００３１】
図５の使用例において、カップ部２１０はおむつ本体１０１の外側から被介護者の股間にあてがわれる。この例においては、汚水が外側へ漏れないようにするため、被介護者の股間を排泄物受容器２００の弾性部材２３０に密着させて使用する。しかしながら、カップ部２１０に対する股間の位置がずれて隙間が生じると、そこから汚水が漏れる可能性がある。
そこで、図５の使用例においては、寝具に汚水が漏れるのを防止するための補助おむつを併用してもよい。図６は、その補助おむつとしての腰巻シート１５０の一例を示す図である。
【００３２】
腰巻シート１５０は、例えば図６に示すように、胴回り方向に長い帯状の形態を有しており、その端部に面ファスナや粘着テープなどの接着部材１５２が設けられている。腰巻シート１５０は、例えば図７に示すように、排泄物受容器２００ごと外側から被介護者の腰に巻きつけられる。腰巻シート１５０の端部は、例えば被介護者の腹側において接着部材１５２により固定される。腰巻シート１５０は、例えばおむつ本体１０１と同様に、その外側が不織布などの液透過性シートにより形成され、内側が透湿性のある液不透過性シートにより形成され、両シートの間に高吸収性ポリマー等を含んだ吸収体が内包されている。
このような腰巻シート１５０で被介護者の下半身を覆うことにより、寝具への汚水の漏れが効果的に防止される。
【００３３】
以上説明したように、本実施形態に係るおむつ１００によれば、おむつ本体１０１の股間領域に開口部４３が設けられており、吸収パッド５１がおむつ本体１０１から分離可能であることから、おむつ本体１０１を脱がせることなく、吸収パッド５１のみをおむつ本体１０１から分離して、開口部４３より外に取り出すことができる。
従って、例えば排泄物で吸収パッド５１が汚れた場合、おむつ本体１０１から吸収パッド５１を分離して、開口部４３より股間を清浄し、汚れた吸収パッド５１を取り出して、新しい吸収パッド５１をおむつ本体１０１の内部に挿入できる。この場合、おむつ本体１０１を脱がせる必要がないので、介護者の負担を大幅に軽減できる。
また、例えば排泄物自動処理システムを使用する場合、吸収パッド５１を取り外した状態で、そのままおむつ本体１０１の開口部４３に排泄物受容器２００をあてがえばよいので、排泄物受容器２００の使用が非常に容易になる。
【００３４】
更に、本実施形態に係るおむつ１００によれば、接着部材３１によっておむつ本体１０１に吸収パッド５１が固定されるため、吸収パッド５１はおむつ着用者の股間領域からずれ難い。また、吸収パッド５１がおむつ本体１０１の内側から開口部４３を塞いでおり、排泄物によって開口部４３の縁が汚れることが少ない。これにより、排泄物でおむつ本体１０１が汚れるケースを低減できるので、おむつ本体１０１の再利用性が向上し、ランニングコストを低減できる。
【００３５】
また、接着部材３１の接着面が、おむつ本体１０１や吸収パッド５１の外面領域に設けられているため、おむつ本体１０１と吸収パッド５１との接着を外側から容易に分離できる。これにより、吸収パッド５１の取り外し作業が容易になる。
【００３６】
ところで、本実施形態に係るおむつにおける開口部は、内側の吸収パッド５１を外側に取り出せる程度の大きさを有するものであればよく、その形状は任意である。従って、開口部は、上述した図１〜図３に示すように股間領域３０の一部を切り抜いた形状としてもよいが、例えば図８、図９に示すように、股間領域３０の一部に切れ目を入れた形状としてもよい。
【００３７】
図８，図９は、本実施形態の一変形例を示す図である。図８は外側からみたおむつの展開図を示し、図９は内側からみたおむつの展開図を示す。図１〜図３と図８及び図９の同一符号は同一の構成要素を示す。
【００３８】
図８、図９に示すおむつ本体１０１Ａは、図１〜図３に示すおむつ本体１０１と同様に、前見頃１０、後見頃２０及び股間領域３０を有しており、股間領域３０には開口部４３が設けられ、後見頃２０の両端部には接着部材２１が設けられている。
【００３９】
また、おむつ本体１０１Ａの股間領域３０の両側部には、ギャザー４４が形成されている。ギャザー４４は、おむつ本体１０１を着用した際に脚回りの隙間から汚水が漏れるのを防止する。例えば、股間領域３０の両側部には、内側シートと外側シートの間に伸長状態で挟着された弾性部材が設けられており、この弾性部材が縮むことでギャザー４４が形成される。
【００４０】
図８、図９の例において、股間領域３０の中央部分には縦方向（前身頃１０から後身頃２０へ延びる方向）に一条の切れ込みが入っており、この切れ込みが開口部４３として吸収パッド５１の出し入れに使用される。開口部４３の周囲には、吸収体５２が充填されておらず、内側シートと外側シートとを直接貼り付けた領域が設けられている。吸収体５２は、開口部４３を両側から挟むように配設されており、図８、図９の例では、前身頃２０において先端部が分離している。
【００４１】
吸収パッド５１は、この開口部４３全体を覆うことができる十分な広さを持っており、図８、図９の例では縦長の矩形状に形成されている。吸収パッド５１は、おむつ本体１０１Ａの内側に敷かれ、おむつ着用者の股間にあてがわれる。
【００４２】
接着部材３１は、おむつ本体１０１Ａの外面における開口部４３の両縁付近の領域に接着するとともに（第１接着面）、その両縁の間から外側に露出する吸収パッド５１に接着する（第２接着面）。例えば図８に示すように、開口部４３の複数の箇所を接着部材３１により接着する。
【００４３】
図８、図９に示すように、開口部を条状の切れ目にすることで、開口部を切り欠いて形成する場合に比べて製造・加工が容易になり、コストを削減できる。
【００４４】
＜第２の実施形態＞
次に、本発明の第２の実施形態について説明する。
第２の実施形態は、吸収パッドに把持手段を設けたものであり、おむつの他の構成については上述した第１の実施形態と同様である。
【００４５】
図１０は、把持手段の第１の例を図解した図である。図１０（Ａ）は吸収パッド５１を外側（身体に接触しない側）から見た図であり、図１０（Ｂ）は吸収パッド５１を側面から見た図である。
図１０の例では、おむつ本体１０１の開口部４３から外側に露出する吸収パッド５１の外面領域に、保持手段としてタブ５３が設けられている。タブ５３は、例えば、正方形若しくは長方形のシートの対向する２つの辺を近接させて外面領域に接合させたものであり、シートの中央部の弛んだ部分をつまむことができる。タブ５３は、例えば吸収パッド５１の外面シートと同じ素材（不織布など）で形成することができる。
【００４６】
図１１は、把持手段の第２の例を図解した図である。図１１（Ａ)は吸収パッド５１を外側から見た図であり、図１１（Ｂ)は吸収パッド５１を側面からみた図である。
図１１の例では、吸収パッド５１の外面領域に、保持手段としてポケット５４が設けられている。ポケット５４は、例えば、正方形若しくは長方形のシートの３辺を外面領域に接合させたものであり、接合されていない辺から指を入れて引っかけることができる。ポケット５４についても、吸収パッド５１の外面シートと同じ素材（不織布など）で形成可能である。
なお、図の例ではシートの３つの辺を外面領域に接合させているが、対向する２つの辺のみ接合させても同様の把持機能を果たすことが可能である。
【００４７】
このように、吸収パッド５１の外面領域に前記把持手段を設けることで、吸収パッド５１を掴みやすくなるので、開口部４３から吸収パッド５１を取り外しやすくなり、作業性が向上する。
【００４８】
＜第３の実施形態＞
次に、本発明の第３の実施形態について説明する。
図１に示すおむつ１００では、被介護者の股間と排泄物受容器２００との隙間から汚水が漏れる可能性があり、そうすると腰巻シート１５０の交換が必要になる。本実施形態は、上記のような隙間が生じても汚水を漏れ難くするおむつに関するものである。
【００４９】
図１２は、第３の実施形態に係るおむつの一例を示す図であり、おむつ本体１０１Ｂの内側からみた展開図を示す。図１２と図１〜図３の同一符号は同一の構成要素を示す。
本実施形態に係るおむつは、図１〜図３に示すおむつ本体１０１を図１２に示すおむつ本体１０１Ｂに置き換えたものであり、他の構成要素（吸収パッド５１，接着部材３１等）は先に説明したおむつ１００と同様である。
【００５０】
おむつ本体１０１Ｂは、図１〜図３に示すおむつ本体１０１と同様に、前見頃１０、後見頃２０及び股間領域３０を有しており、股間領域３０に開口部４３が設けられ、後見頃２０の両端部には接着部材２１が設けられている。また、おむつ本体１０１Ｂの股間領域３０の両側部には、ギャザー４４が形成されている。
【００５１】
更に、おむつ本体１０１Ｂの開口部４３の縁には、例えば粘着テープなどによる接着部材３２が設けられている。接着部材３２の接着面は、例えば図１２に示すようにおむつ本体１０１の内側に形成されており、剥離シート３３で被覆されている。
吸収パッド５１を使用する場合、接着部材３２の接着面は剥離シート３３によって被覆された状態とされる。剥離シート３３の被覆によって、吸収パッド５１は接着部材３２に接着されないため、開口部４３から吸収パッド５１を取り出す際の作業が容易になる。
一方、排泄物受容器２００を使用する場合は、まず開口部４３より吸収パッド５１が取り出され、次いで剥離シートがはがされて、接着部材３２の接着面が排泄物受容器２００に接着される。
【００５２】
図１３は、おむつ本体１０１Ｂを着用した状態で排泄物受容器２００を使用する例を図解した図である。図１０に示すように、排泄物受容器２００のカップ部２１０は、開口部４３からおむつ本体１０１Ｂの内側へ挿入され、おむつ本体１０１Ｂによってすっぽり包み込まれた状態にされる。この状態で、開口部４３の縁が接着部材３２によりカップ部２１０に接着される。カップ部２１０において排泄物を受容する空間は、おむつ本体１０１Ｂの内側に密閉される。
【００５３】
なお、開口部４３は、カップ部２１０の形状と適合するように、図１２の例では中央部が細くくびれた形状になっている。開口部４３は、カップ部２１０と隙間なく密着するように、カップ部２１０の形状に合わせて形成される。
また、開口部４３とカップ部２１０との接着を強化するため、図１３の例では、外側から接着部材３２Ａによる補強が行われている。
【００５４】
このように、本実施形態に係るおむつによれば、開口部４３の縁を接着部材３２によってカップ部２１０に接着させることで、被介護者の股間とカップ部２１０との間に隙間が生じても、汚水をおむつ本体１０１Ｂの内側に留まらせることができる。これにより、寝具への汚水の漏れが防止されるので、腰巻シート１５０の交換頻度を低減できる。また、汚水の漏えいがほとんど発生しない場合は、腰巻シート１５０を省略することも可能となる。
【００５５】
＜第４の実施形態＞
次に、本発明の第４の実施形態について説明する。第４の実施形態は、おむつ本体の開口部の縁に伸縮弾性部材を設けたおむつに関する。
【００５６】
図１４は、第４の実施形態に係るおむつの一例を示す図であり、おむつ本体１０１Ｃの外側からみた展開図を示す。図１４と図１０の同一符号は同一の構成要素を示す。
本実施形態に係るおむつは、図１〜３に示すおむつ本体１０１を図１４に示すおむつ本体１０１Ｃに置き換えたものであり、他の構成要素（吸収パッド５１，接着部材３１等）は第１の実施形態に係るおむつと同様である。おむつ本体１０１Ｃは、図１〜３に示すおむつ本体１０１と同様に、前見頃１０、後見頃２０及び股間領域３０を有しており、股間領域３０に開口部４３が設けられ、後見頃２０の両端部には接着部材２１が設けられている。また、股間領域３０の両側部にギャザー４４が形成されている。
【００５７】
おむつ本体１０１Ｃの開口部４３の縁には、伸縮弾性部材３５が設けられている。伸縮弾性部材３５は、例えばリング状のゴム輪などを用いて構成される。伸縮弾性部材３５の周辺領域３４は、例えば図１４に示すように吸収体５２が敷かれておらず、外側シートと内側シートがそのまま貼り合わされている。そのため、伸縮弾性部材３５を伸ばして開口を広げると、周辺領域３４は皺を伴って弛んだ状態になる。
【００５８】
おむつ本体１０１Ｃを着用した状態で排泄物受容器２００を使用する場合は、まず、接着部材３１を剥がして吸収パッド５１をおむつ本体１０１Ｃから分離し、伸縮弾性部材３５の開口を広げて吸収パッド５１を取り出す。次いで、伸縮性部材３５を広げた状態で、その開口からカップ部２１０を挿入し、おむつ本体１０１Ｃの内側にカップ部２１０の排泄物受容空間を密閉させる。
【００５９】
本実施形態に係るおむつを使用する場合、カップ部の外面に、伸縮弾性部材３５を引っかけて止めるための突起や溝を設けてもよい。図１５は、カップ部の外面に溝を設ける例を図解した図である。図１３に示すように、カップ部２１０Ａの外面には一条の環状の溝２０６が設けられており、伸縮弾性部材３５はこの溝２０６に嵌め込まれる。
【００６０】
本実施形態によれば、おむつ本体１０１Ｃの開口部４３の縁に伸縮弾性部材３５を設けているため、開口部４３の大きさを容易に変更可能である。従って、開口部４３を広げて吸収パッド５１を取り外し、カップ部２１０をおむつ本体１０１Ｂの内側に挿入できる。また、挿入後、伸縮弾性部材３５が縮むことで伸縮弾性部材３５とカップ部２１０との密着性が向上するので、汚水の漏れを効果的に防止できる。また、伸縮弾性部材３５が縮んだ状態では開口部４３が小さくなるため、開口部４３からの吸収パッド５１の脱落を有効に防止できる。
【００６１】
なお、開口部４３とカップ部２１０との接着を強化するため、図１３と同様に、外側から接着部材３２Ａによる補強を行ってもよい。
【００６２】
また、上記の例では、伸縮弾性部材３５の周辺領域３４をおむつ本体１０１Ｃの他の領域と同じ材料（外面シート，内面シート）で構成しているが、周辺領域３４を縁部分のように伸縮性のある部材で構成すれば、周辺領域３４とカップ部２１０との密着性も向上するので、汚水の漏れをより効果的に防止できる。
【００６３】
また、伸縮弾性部材３５は、上述した図１５に示すようにおむつ本体１０１Ｃと一体に形成してもよいが、例えば図１６に示すように、両者を着脱可能に形成してもよい。
図１６は、伸縮弾性部材３５を着脱可能に形成する例を図解した図であり、図１４と図１６の同一符号は同一の構成要素を示す。図１６（Ａ）に示すおむつ本体１０１Ｄは、股間領域に開口部４３Ｃが設けられており、その外側の縁部に面ファスナや粘着テープなどによる接着部材３７が設けられている。図１６（Ｂ）に示す伸縮弾性部材３５及び周辺領域３４は、おむつ本体１０１Ｄから独立している。周辺領域３４の内側の縁部には、面ファスナや粘着テープなどによる接着部材３６が設けられている。
伸縮弾性部材３５及び周辺領域３４を、接着部材３６，３７によっておむつ本体１０１Ｄと着脱可能に接着することで、おむつ本体１０１Ｄを使い捨てにする場合でも、伸縮弾性部材３５及び周辺領域３４を有効に再利用できる。
【００６４】
＜第５の実施形態＞
次に、本発明の第５の実施形態について説明する。
上述した実施形態ではおむつ本体の内側に吸収パッドを挿入していたが、本実施形態に係るおむつでは、吸収パッドを外側からおむつ本体に固定する。
【００６５】
図１７は、本発明の第５の実施形態に係るおむつの一例を図解した斜視図であり、図１と図１７の同一符号は同一の構成要素を示す。
図１７に示すおむつ１００Ｅは、開口部４３の外側を吸収パッド５１で塞ぐ点において図１に示すおむつ１００と異なっているが、両者の構成要素についてはほぼ同じである。本実施形態に係るおむつでは、吸収パッド５１をおむつ本体１０１の外側に固定するため、吸収パッド５１の取り外しがより簡単になる。
【００６６】
なお、図１７に示すおむつ１００Ｅにおいては、おむつ本体１０１からの吸収パッド５１の脱落を防止するため、接着部材３１（固定手段）による固定箇所を増やしてもよい。また、吸収パッド５１の内側の縁部の少なくとも一部に、面ファスナや粘着テープなどによる固定手段を設けてもよい。これにより、おむつ本体１０１の開口部４３の縁と吸収パッド５１の内側の縁とを良好に固定できる。
【００６７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６８】
例えば、本発明の固定手段は、粘着テープや面ファスナに限定されず、例えばボタンやジッパーなどを固定の用途に使用することも可能である。
【００６９】
また、本発明の固定手段は、双方を再接着不能な状態で接合するものでもよい。例えば、接合部分や連結部分を紙等の切断可能な材料で構成し、分離する際にこれらの部分を切ったり剥したりしてもよい。
【００７０】
吸収パッドをおむつの内側に固定する場合、本発明の固定手段は、開口部の内側の周縁部や、吸収パッドの外縁部の少なくとも一部に設けられた接着部材（粘着テープや面ファスナなど）を含むものでもよい。例えば、図１２に示すおむつにおいて剥離シート３３を省略し、吸収パッド５１の外面を接着部材３２によっておむつ本体１０１Ｂに固定してもよい。
これにより、吸収パッドをおむつ本体から取り外した後、当該接着面を排泄物受容器に接着させることが可能になる。
【００７１】
上述の各実施形態では、固定手段によって吸収パッドをおむつ本体に固定する例を挙げているが、本発明はこれに限定されない。例えば、吸収パッドをおむつ本体に固定することなく、開口部をおむつ本体の外側から塞ぐような閉塞手段を設けてもよい。
例えば図８、図９に示すように条状の切れ目を含んだ開口部をおむつ本体に形成する場合は、おむつ本体の外面において、切れ目の近接した両縁の近傍領域を接着部材により接着して、開口部を塞ぐようにしてもよい。また、切れ目の縁に重なり合う部分を設けて、縁同士を接着部材により直接接着するようにしてもよい。
【図面の簡単な説明】
【００７２】
【図１】本発明の第１の実施形態に係るおむつの一例を図解した斜視図である。
【図２】外側からみたおむつの展開図である。
【図３】内側からみたおむつの展開図である。
【図４】排泄物自動的処理システムの構成の一例を示す図である。
【図５】おむつ本体を着用した状態で排泄物受容器を使用する例を図解した図である。
【図６】おむつの補助として用いる腰巻シートの一例を図解した図である。
【図７】腰巻シートの使用態様の一例を示す図である。
【図８】第１の実施形態に係るおむつの一変形例を示す図であり、外側からみたおむつの展開図を示す。
【図９】第１の実施形態に係るおむつの一変形例を示す図であり、内側からみたおむつの展開図を示す。
【図１０】把持手段の第１の例を図解した図である。
【図１１】把持手段の第２の例を図解した図である。
【図１２】第３の実施形態に係るおむつの一例を示す図であり、おむつ本体の内側からみた展開図を示す。
【図１３】図１０に示すおむつ本体を着用した状態で排泄物受容器２００を使用する例を図解した図である。
【図１４】第４の実施形態に係るおむつの一例を示す図であり、おむつ本体の外側からみた展開図を示す。
【図１５】カップ部の外面に溝を設ける例を図解した図である。
【図１６】開口部の伸縮弾性部材を着脱可能に形成する例を図解した図である。
【図１７】第５の実施形態に係るおむつの一例を図解した斜視図である。
【符号の説明】
【００７３】
１００，１００Ｄ…おむつ、１０１，１０１Ａ，１０１Ｂ，１０１Ｃ，１０１Ｄ，１０１Ｅ…おむつ本体、１０…前身頃、２０…後身頃、２１，３１，３２，３２Ａ，３６，３７…接着部材、３０…股間領域、３３…剥離シート、３４…周辺領域、３５…伸縮弾性部材、４１，４１Ｌ，４２Ｒ，４３，４３Ｃ…開口部、５１…吸収パッド、５２…吸収体、５３…タブ、５４…ポケット、１５０…腰巻シート、２００…排泄物受容器、２１０…カップ部、２２０…弾性部材、２３０…板部、３００…排泄物処理装置、４００…ホースユニット
【図１】
2010017385.tif 000003
【図２】
2010017385.tif 000004
【図３】
2010017385.tif 000005
【図４】
2010017385.tif 000006
【図５】
2010017385.tif 000007
【図６】
2010017385.tif 000008
【図７】
2010017385.tif 000009
【図８】
2010017385.tif 000010
【図９】
2010017385.tif 000011
【図１０】
2010017385.tif 000012
【図１１】
2010017385.tif 000013
【図１２】
2010017385.tif 000014
【図１３】
2010017385.tif 000015
【図１４】
2010017385.tif 000016
【図１５】
2010017385.tif 000017
【図１６】
2010017385.tif 000018
【図１７】
2010017385.tif 000019